【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
ユーザの血圧（ＢＰ）を測定する装置であって、
−  前記ユーザの体の第１部分に圧力を加えるための第１圧力装置、前記ユーザの体の第１部分から第１ＰＰＧ信号を得る第１フォトプレチスモグラム（ＰＰＧ）センサ、及び、前記第１ＰＰＧ信号を分析し、前記第１ＰＰＧ信号を一定レベルにて維持するために前記第１圧力装置の圧力を制御し、さらに、前記第１圧力装置の圧力から前記ユーザのＢＰを決定するように構成された制御ユニットを含むボリュームクランプＢＰ監視装置と、
−  前記ユーザの体の第２部分における前記ユーザの生理学的特徴を測定する第２センサと、
を含み、
前記ユーザの血圧（ＢＰ）を測定する装置は、測定された前記生理学的特徴を分析して、前記ユーザの体の第２部分における血液潅流の程度を決定する、及び、前記血液潅流における変化に基づき前記ボリュームクランプＢＰ監視装置の再較正を行うかどうかを決定するように構成され、
前記第２センサは、前記第１ＰＰＧセンサとは別であり、さらに、前記体の第２部分は、前記体の第１部分とは別である、装置。
【請求項２】
前記ボリュームクランプＢＰ監視装置は、前記ユーザの体の第２部分に圧力を加えるための第２圧力装置、及び、第２ＰＰＧセンサである前記第２センサをさらに含み、前記ユーザの血圧（ＢＰ）を測定する装置は、前記第１圧力装置及び前記第１ＰＰＧセンサと、前記第２圧力装置及び前記第２ＰＰＧセンサとを使用して前記ユーザのＢＰを交互に測定するように構成される、請求項１に記載の装置。
【請求項３】
前記第１圧力装置及び第１ＰＰＧセンサが、前記ユーザの体の第１部分における前記ユーザのＢＰを測定するために使用されている場合に、前記第２ＰＰＧセンサからのＰＰＧ信号を分析して前記ユーザの体の第２部分における血液潅流の程度を決定するように構成され、さらに、前記第２圧力装置及び第２ＰＰＧセンサが、前記ユーザの体の第２部分における前記ユーザのＢＰを測定するために使用されている場合に、前記第１ＰＰＧセンサからの信号を分析して前記ユーザの体の第１部分における血液潅流の程度を決定するようにさらに構成された、請求項２に記載の装置。
【請求項４】
−  前記第１圧力装置及び前記第１ＰＰＧセンサが、前記ユーザのＢＰを測定するために使用されている場合に、前記第２ＰＰＧセンサを前記ユーザの体の第２部分に接触させるために、前記第２圧力装置を使用して前記第２ＰＰＧセンサに圧力を加える、及び
−  前記第２圧力装置及び前記第２ＰＰＧセンサが、前記ユーザのＢＰを測定するために使用されている場合に、前記第１ＰＰＧセンサを前記ユーザの体の第１部分に接触させるために、前記第１圧力装置を使用して前記第１ＰＰＧセンサに圧力を加える、
ようにさらに構成された、請求項２又は３に記載の装置。
【請求項５】
前記血液潅流の程度は、前記測定された生理学的特徴のＤＣ値、測定におけるパルスの振幅、及び、前記測定された生理学的特徴におけるパルスの形態の特徴のうちの１つ又は複数である、請求項１乃至４のいずれか一項に記載の装置。
【請求項６】
前記血液潅流の程度は、前記測定された生理学的特徴のＤＣ値であり、さらに、前記ユーザの血圧（ＢＰ）を測定する装置は、前記測定された生理学的特徴を分析して、測定におけるＤＣ値を決定するように、及び、決定された前記ＤＣ値における変化に基づき前記ボリュームクランプ血圧監視装置の再較正を行うかどうかを決定するように構成される、請求項１乃至５のいずれか一項に記載の装置。
【請求項７】
前記血液潅流の程度は、前記測定におけるパルスの振幅であり、さらに、前記ユーザの血圧（ＢＰ）を測定する装置は、前記測定された生理学的特徴を分析して、前記測定におけるパルスの振幅を決定するように、及び、前記パルスの振幅における変化に基づき前記ボリュームクランプ血圧監視装置の再較正を行うかどうかを決定するように構成される、請求項１乃至６のいずれか一項に記載の装置。
【請求項８】
前記血液潅流の程度は、前記測定された生理学的特徴におけるパルスの形態の特徴であり、さらに、前記ユーザの血圧（ＢＰ）を測定する装置は、前記生理学的特徴の測定におけるパルスの形態の特徴を決定するように、及び、前記特徴における変化に基づき前記ボリュームクランプ血圧監視装置の再較正を行うかどうかを決定するように構成される、請求項１乃至７のいずれか一項に記載の装置。
【請求項９】
前記制御ユニットは、（ｉ）前記第１圧力装置を使用してある圧力の範囲を前記体の第１部分に加える、及び、前記圧力の範囲における複数の圧力にて前記第１ＰＰＧセンサを使用してＰＰＧ信号を得ること、（ｉｉ）得られた前記ＰＰＧ信号を分析して、前記第１ＰＰＧ信号に対する一定レベルを選択すること、及び、（ｉｉｉ）前記第１圧力装置の圧力を前記ユーザのＢＰに関連させる較正関数を決定することによって、再較正を行うように構成される、請求項１乃至８のいずれか一項に記載の装置。
【請求項１０】
前記圧力の範囲は、前記第１ＰＰＧ信号を一定レベルにて維持するために以前に要求された前記第１圧力装置の圧力の上下の圧力を含む、請求項９に記載の装置。
【請求項１１】
前記血液潅流が減少した事象において、前記圧力の範囲は、前記第１ＰＰＧ信号を一定レベルにて維持するために以前に要求された前記第１圧力装置の圧力を超える圧力を含み、さらに、前記血液潅流が増加した事象において、前記圧力の範囲は、前記第１ＰＰＧ信号を一定レベルにて維持するために以前に要求された前記第１圧力装置の圧力未満の圧力を含む、請求項９に記載の装置。
【請求項１２】
前記圧力の範囲の最小値及び／又は最大値は、前記血液潅流における変化の大きさに基づき決定される、請求項９又は１１に記載の装置。
【請求項１３】
前記制御ユニットは、前記第１ＰＰＧ信号に対する一定レベルを再計算若しくは調整する、又は、前記第１圧力装置の圧力を前記ユーザのＢＰに関連させる較正関数における１つ又は複数の較正定数を再計算若しくは調整することによって再較正を行うように構成され、前記再計算若しくは再調整は、前記血液潅流における変化の大きさに基づく、請求項１２に記載の装置。
【請求項１４】
ユーザの血圧（ＢＰ）を測定する方法であって、
−  前記ユーザの体の第１部分に圧力を加えるための第１圧力装置、前記ユーザの体の第１部分から第１ＰＰＧ信号を得る第１フォトプレチスモグラム（ＰＰＧ）センサ、及び、前記第１ＰＰＧ信号を分析し、前記第１ＰＰＧ信号を時間の経過に伴い一定レベルにて維持するために前記第１圧力装置の圧力を制御し、さらに、前記第１圧力装置の圧力から前記ユーザのＢＰを決定する制御ユニットを含むボリュームクランプＢＰ監視装置を使用して、前記ユーザの血圧を測定するステップと、
−  前記第１ＰＰＧセンサとは別の第２センサを使用して、前記ユーザの体の第２部分における前記ユーザの生理学的特徴を測定するステップであり、前記体の第２部分は、前記体の第１部分とは別であるステップと、
−  測定された前記生理学的特徴を分析して、前記ユーザの体の第２部分における血液潅流の程度を決定するステップと、
−  前記血液潅流における変化に基づき前記ボリュームクランプＢＰ監視装置の再較正を行うかどうかを決定するステップと、
を含む方法。
【請求項１５】
コンピュータ可読媒体を含むコンピュータプログラムであって、前記コンピュータ可読媒体はその中に具体化されたコンピュータ可読コードを有し、前記コンピュータ可読コードは、請求項１に記載のユーザの血圧を測定する装置を制御する適したコンピュータ又はプロセッサによる実行によって、請求項１４に記載の方法を前記コンピュータ又はプロセッサに行わせるように構成されている、コンピュータプログラム。